(57)【特許請求の範囲】
【請求項１】
無端状の搬送路上に載置された飲食物搬送体を、搬送路下方に配された磁石の磁力を利用して搬送する循環型飲食物搬送装置であって、
前記飲食物搬送体には第１の磁石が設けられ、かつ搬送路下方には一定間隔おきに多数の第２の磁石が循環走行可能に配されており、
前記第１の磁石と第２の磁石とが、それぞれの磁石の同磁極同士が相対向する向きになるように配置されるとともに、前記飲食物搬送体には、第１の磁石としての２個以上の磁石に加えて、第２の磁石と異磁極同士が相対向するような第３の磁石が設けられ、第３の磁石は、前記それぞれの第１の磁石に対して等距離となる位置に設けられていることを特徴とする循環型飲食物搬送装置。
【請求項２】
第３の磁石の磁力が、少なくとも第１の磁石の磁力よりも小さく設定されている請求項１に記載の循環型飲食物搬送装置。
【発明の詳細な説明】
【０００１】
【発明の属する技術分野】
本発明は、飲食カウンタに沿って無端状に形成された搬送路により寿司等を循環搬送し、これをお客に提供する循環型飲食物搬送装置に関する。
【０００２】
【従来の技術】
通称、回転寿司と呼ばれている寿司店の循環型飲食物搬送装置には、従来、図７に示すように、平面視ほぼ半月状をなす多数のスタットａを、無端回走するチェーンｂに相対回動可能に取付けたクレセントチェーンコンベヤｃが用いられているのが一般的である。
【０００３】
上述した従来のクレセントチェーンコンベヤＹは、無端状の搬送路を形成して循環させるために、屈曲部の存在は避けられず、従って、この屈曲部を各スタットａが円滑に走行しうるように、隣接するスタットａ同士の間に所要の隙間を設けて、互いに相対回動可能にチェーンｂに連結している。そのため、その隙間にご飯粒やその他の異物が入り込んでこびり付き易く、これを除去する作業が面倒であるとともに、衛生的にも好ましくない。
【０００４】
この問題を解決するために、本出願人は、搬送路上の清掃を極めて容易に行うことができるようにした循環型搬送装置を案出し、これらの技術は先に特許出願している特開平１１−２２５８６５号公報、特開平１１−０４６９５９号公報、特開平１１−１６４７６３号公報、さらには特開平１１−３１３７４７号公報に開示されている。
【０００５】
図８は、上記磁石式の搬送手段を有する搬送装置の一部を略示するもので、搬送手段ａは、無端走行するチェーンｂと、この上部に一定の間隔を設けて取付けたブラケットｃと、各ブラケットｃの上面に固定された永久磁石ｄとからなっている。
【０００６】
搬送路面ｅの上に外周部下面の両側が受支された寿司皿ｇは、その下面に取付けた磁性金属片ｈを上記各永久磁石ｄの上端と近接させることにより、永久磁石ｄの吸引力により保持されて循環するようになっている。
【０００７】
この場合、上記永久磁石ｄの全ての極性は、下部側がＮ極で上部側がＳ極（又はその反対）となるように統一して取付けられている。
【０００８】
【発明が解決しようとする課題】
このように、永久磁石ｄの全ての極性を、上下においてＮ極又はＳ極に統一すると、図９に示すように（下部側をＮ極とした例を示す）、隣接する永久磁石ｄの磁力線は、互いに同方向を向くため、磁束密度が大きくなり、強力な磁界が比較的広範囲に形成される。
【０００９】
この極性の配置は、寿司皿ｇの吸引力が大きくなる利点がある反面、寿司皿ｇを磁石ｄから引き離す際の力も大となるため、お客が寿司皿ｇを強く引き上げたときの反動により、寿司等を落下させることがある。
【００１０】
また、永久磁石ｄが強力に寿司皿ｇを吸引すると、寿司皿ｇと寿司皿ｇが滑走する搬送路面との間に大きな摩擦力が発生し、搬送路面ｅ上に寿司皿ｇの軌跡を表すライン状の傷が付き、見栄えが悪くなり、この傷が寿司皿ｇの滑りを更に悪くする原因となる。
【００１１】
本発明は、上記問題点を解決するためになされたもので、寿司皿を確実に移送させるとともに、寿司皿等を比較的に軽い力で持ち上げることができ、かつ搬送路に傷が付かない循環型飲食物搬送装置を提供することを目的としている。
【００１２】
【課題を解決するための手段】
上記目的を達成するために、本発明の循環型飲食物搬送装置は、無端状の搬送路上に載置された飲食物搬送体を、搬送路下方に配された磁石の磁力を利用して搬送する循環型飲食物搬送装置であって、前記飲食物搬送体には第１の磁石が設けられ、かつ搬送路下方には一定間隔おきに多数の第２の磁石が循環走行可能に配されており、前記第１の磁石と第２の磁石とが、それぞれの磁石の同磁極同士が相対向する向きになるように配置されるとともに、前記飲食物搬送体には第１の磁石としての２個以上の磁石に加えて、第２の磁石と異磁極同士が相対向するような第３の磁石が設けられ、第３の磁石は、前記それぞれの第１の磁石に対して等距離となる位置に設けられていることを特徴としている。
本発明によると、飲食物搬送体を搬送路上に載置した場合、第１の磁石と第２の磁石とが互いに同磁極で向き合う位置関係となり、第１の磁石は第２の磁石の反発力を受け、第２の磁石とその隣の第２の磁石との間に安定しようとする。
ここで第２の磁石を所定方向に循環走行させると、第１の磁石は前記した安定位置を保持しようとするため、第２の磁石の走行速度と同速度で循環走行することとなる。このように第２の磁石と第１の磁石との間には反発力が存在するため、飲食物搬送体を比較的軽い力で持ち上げることができるとともに、飲食物搬送体の循環搬送時に搬送路に傷が付きにくくなる。さらに付加的に第２の磁石と第３の磁石が引き合い、飲食物搬送体の搬送される向きが常時一定する。
【００１８】
上記搬送装置において、本発明の循環型飲食物搬送装置は、第３の磁石の磁力が、少なくとも第１の磁石の磁力よりも小さく設定されているのが好ましい。
このようにすると、第２の磁石と第３の磁石との間の吸引力が、飲食物搬送体の搬送向きを決める最少限のものとなり、飲食物搬送体の持ち上げ時にこの吸引力が悪影響を及ぼさないようにできる。
【００２５】
【発明の実施の形態】
以下、本発明の実施例を図面に基づいて説明する。
【００２６】
図１は、本発明を寿司の搬送に適用した第１実施例を示す一部の外観傾斜図であり、飲食カウンタ１の上面上には、これに沿って本発明の循環型飲食物搬送装置（以下、搬送装置と略称する）２が無端状に設けられている。
【００２７】
３は、搬送装置２上に載置されて搬送される合成樹脂又は瀬戸物製の飲食容器、すなわち飲食物搬送体としての寿司皿で、この寿司皿３には飲食物である寿司４等が載せられる。この寿司皿３における底板３ｃ中央には図２、図３で明らかなように第１の磁石である永久磁石２０が固着されている。
【００２８】
搬送装置２は、図２及び図３に示すように構成され、飲食カウンタ１の内端（図２の右端）に隣接して立設された基台５の上面には、搬送装置２の支持ブラケット６が固着されている。支持ブラケット６上には、縦断面形が横長矩形をなす角筒状のダクト７が、飲食カウンタ１に沿って無端状に取付けられている。このダクト７は樹脂で作られている。
【００２９】
ダクト７の両側面と上面には、カバーとして機能する案内部材９が固定的に取付けられ、搬送路に沿って両案内部材９から上向ガイド９ａ、９ｂが突設するように形成されている。
【００３０】
ダクト７の外側上面である上面板７ａの上面には、寿司皿３の底面外周部の環状をなす糸底部３ａにおける平坦な底面が摺接するようになっている。この摺接時において、寿司皿３の逆テーパ状の裏面３ｂが、案内部材９の上記した上向ガイド部９ａ、９ａの上部内端縁と近接するようになっており、寿司皿３が搬送される際において、大きく左右方向に移動するのが防止されるようになっている。
【００３１】
ダクト７内には、マグネット式の搬送機構１２が設けられており、この搬送機構１２は、案内ダクト７内の上面に固着した支持基板１３上にボルト止めされた無端状のチェーンレール１４と、このチェーンレール１４に案内されて飲食カウンタ１の内側を循環走行する無端状の駆動チェーン１５と、駆動チェーン１５の上端部に一定間隔おきに固着されたブラケット１６の上部に、上端面が案内ダクト７の裏面に近接するようにして取付けられた第２の磁石である永久磁石１７とからなっている。
【００３２】
図４には、本発明特有の永久磁石１７と永久磁石２０との配置状態が示され、永久磁石列における互いに隣接する各永久磁石１７のＮ極もしくはＳ極が、同一方向（鉛直方向）を向くように統一して配置されている。すなわち、本実施例にあっては、上方に全ての永久磁石１７のＳ極が向くように配置されている。ここで配置されている永久磁石１７は、４５００ガウス近傍の磁力を有し、直径２２ｍ／ｍ、高さ１１〜１２ｍ／ｍの円柱形状の磁石である。
【００３３】
永久磁石列を構成する各永久磁石１７は、隣り合う磁石の中心間距離が約６０ｍ／ｍになるように配置されている。さらに永久磁石１７の上面と前記した寿司皿３の底面中央に固着された永久磁石２０の下面とは、案内ダクト７の上面板７ａで区画され、互いに上下方向に略５〜７ｍ／ｍの間隔を保持するように設置されている。
【００３４】
さらに、寿司皿３に設けられた永久磁石２０は下方にＳ極またはＮ極が向くように統一して固定されている。すなわち、本実施例にあっては、下方に全ての永久磁石２０のＳ極が向くように配置されている。このように、図４に示された例によれば、永久磁石１７にあっては全て上方にＳ極がくるように配され、寿司皿３の底面に固定された永久磁石２０にあっては全て下方にＳ極がくるように配置され、永久磁石１７上に寿司皿３が置かれると、寿司皿３は実質的に上方向へ反発力を受けるようになっている。
【００３５】
図２に示されるようにブラケット１６に固着された下向きの別のブラケット１８の下面には、別の永久磁石１９が下向きに取付けられている。この下方の永久磁石１９により、湯呑み容器２１の底面に固着された金属片（図示略）を吸着することにより、倒立状態で循環搬送される。搬送中の湯呑み容器２１は、お客により取外し可能となっており、これを飲食カウンタ１上に取出し、客はこれにお茶を入れて飲むことができるようになっている。２２は、飲食カウンタ１の上面に立設された給湯器である。
【００３６】
上記実施例の搬送装置２において、マグネット式の搬送機構１２における駆動チェーン１５を循環走行させた状態で、寿司４を載せた寿司皿３が上面板７ａ上に載置されると、その下面の永久磁石２０は、チェーン１５と共に走行する永久磁石１７の反発力を受け、図３、図４に示されるように、寿司皿３は、永久磁石１７とその隣の永久磁石１７の中央に位置し、その糸底部３ａの底面が上面板７ａに摺接した状態で搬送される。この搬送中に、好みの寿司皿３をお客が手で掴んで手元に取出すことができる。
【００３７】
上記搬送機能について詳しく説明すると、前記永久磁石２０と永久磁石１７とが、それぞれの磁石の同磁極同士が相対向する向きになるように配置されているため、飲食物容器である寿司皿３を搬送路上に載置した場合、永久磁石２０と永久磁石１７とが互いに同磁極で向き合う位置関係となり、永久磁石２０は永久磁石１７の反発力を受け、永久磁石１７とその隣の永久磁石１７との間に安定しようとする。
【００３８】
ここで永久磁石１７を駆動チェーン１５で所定方向に循環走行させると、寿司皿の永久磁石２０は前記した安定位置を確保しようとするため、永久磁石１７の走行速度と同速度で循環走行することとなる。さらに永久磁石２０と永久磁石１７との間には反発力が存在するため、飲食物容器を比較的軽い力で持ち上げることができるとともに、飲食物容器の循環搬送時に搬送路に傷が付きにくくなる。
【００３９】
また、この実施例によれば全ての永久磁石１７が、ほぼ同磁力を有しているため、隣り合う２個の永久磁石１７のほぼ中央の搬送路上に永久磁石２０が安定し、寿司皿がこの位置を保持したまま移動するため、寿司皿３は等間隔に整然と循環搬送されることになる。
【００４０】
なお、上記実施例では、湯呑み容器２１も下方の永久磁石１９に吸着されて倒立状態で搬送されるようになっているため、容器２１内に塵埃等の異物が入り込む恐れはなく、極めて衛生的である。また、容器２１をお客の飲食カウンタ１の前まで運ぶ手間が省ける。
【００４１】
図５および図６には本発明の第２の実施例が示され、永久磁石２０と永久磁石１７との距離（高さ）調節と、寿司皿３と搬送路との摩擦力を低減させるようにした例であり、詳述すると、ダクト７の上面板７ａには、摩擦係数の小さい硬質の合成樹脂材、例えばフッ素系樹脂（商品名テフロン）、アセタール系樹脂、ポリアミド系樹脂（ナイロン）、ポリエチレン系樹脂等よりなる上面が円弧状の断面をなす左右１対の滑り部材１１が、全周に亘って固着されている。
【００４２】
この上面板７ａの上面には、寿司皿３の底面外周部の環状をなす糸底部３ａにおける平坦な底面が摺接するようになっている。この摺接時において、寿司皿３の逆テーパ状の裏面３ｂが、案内部材９の両側に突設した上向ガイド部９ａ、９ａの上部内端縁と近接するようになっており、寿司皿３が搬送される際において大きく左右方向に移動するのが防止されるようになっている。
【００４３】
さらに永久磁石１７の上面と、前記した寿司皿３の底面中央に固着された永久磁石２０の下面とは、ダクト７の上面板７ａで区画され、互いに略５〜７ｍ／ｍの間隔を保持することが好ましいが、磁力の大きさによってこの間隔を変更することもあり、この場合は、スペーサーとしての役目をする前記した滑り部材１１の厚みで調整できるようになっている。
【００４４】
上記第２実施例の搬送装置２においても前実施例とその作動形態は同じであり、図６に示されるようにマグネット式の搬送機構１２における駆動チェーン１５を循環走行させた状態で、寿司４を載せた寿司皿３が両滑り部材１１上に載置されると、その下面の永久磁石２０は、チェーン１５と共に走行する永久磁石１７の反発力を受け、前記した図４に示されるように、寿司皿３は、永久磁石１７とその隣の永久磁石１７のほぼ中央に位置し、その糸底部３ａの底面が両滑り部材１１に摺接した状態で搬送される。この搬送中に好みの寿司皿３をお客が手で掴んで手元に取出すことができる。
【００４５】
図７〜図１１には、本発明の第３実施例が示されており、前記した実施例１および２と相違する点は、寿司皿３が直接搬送装置２上に置かれず、飲食物搬送体としての搬送トレー３１上に載置される点と、搬送トレー３１に設けられた磁石等の配置関係が改良されている点である。
【００４６】
すなわち、図７、図８に示されるように、搬送装置２上に載置されて搬送される合成樹脂又は瀬戸物製の飲食物搬送体としての搬送トレー３１上に寿司皿３が載せられる。この搬送トレー３１における底板３３には、図で明らかなように第１の磁石である永久磁石２０と第３の磁石である永久磁石３０が固着されている。
【００４７】
前記各実施例とほぼ同様な搬送装置２には、樹脂製のダクト７の両側面に化粧カバーとして機能するパネル３４が固定的に取付けられ、搬送路に沿う案内部材が省略されている。
また、ダクト７の外側上面である上面板７ａの上面には、寿司皿３を載置可能な搬送トレー３１の外周部３２の底面が摺接するようになっている。前記した寿司皿３を搬送トレー３１に載置した際、寿司皿３の逆テーパ状の裏面３ｂが搬送トレー３１の外周部３２の上辺に安定的に保持されるようになっている。
【００４８】
ダクト７内には、マグネット式の搬送機構１２が設けられており、前記実施例と同様、搬送機構１２は、案内ダクト７内の上面に固着した支持基板１３上にボルト止めされた無端状のチェーンレール１４と、このチェーンレール１４に案内されて飲食カウンタ１の内側を循環走行する無端状の駆動チェーン１５と、駆動チェーン１５の上端部に一定間隔おきに固着されたブラケット１６の上部に、上端面が案内ダクト７の裏面に近接するようにして取付けられた第２の磁石である永久磁石１７とからなっている。
【００４９】
図９は、搬送トレー３１を上方から見た平面図であり、第１の磁石としての永久磁石２０が搬送トレー３１の進行線を挟んで左右に線対称に配置され、かつ第３の磁石としての永久磁石３０が進行線上に配置されている。この場合、永久磁石２０は上方にＮ極が、下方にＳ極がくるように埋設され、永久磁石３０は上方にＳ極が、下方にＮ極がくるように埋設されている。これに対して下方を移動する第２の磁石としての永久磁石１７は上方にＳ極がくるように配置されている。
【００５０】
さらに詳しくは、図１１に、本発明特有の永久磁石１７と、永久磁石２０と、そして永久磁石３０との配置状態が示され、永久磁石列における互いに隣接する各永久磁石１７のＮ極もしくはＳ極が、同一方向（鉛直方向）を向くように統一して配置されている。すなわち、本実施例にあっては、上方に全ての永久磁石１７のＳ極が向くように配置されている。ここで配置されている永久磁石１７は、４５００ガウス近傍の磁力を有し、直径２２ｍ／ｍ、高さ１１〜１２ｍ／ｍの円柱形状の磁石である。
【００５１】
永久磁石列を構成する各永久磁石１７は、隣り合う磁石の中心間距離が約６０ｍ／ｍになるように配置されている。さらに永久磁石１７の上面と前記した搬送トレー３１の底面に２個固着された永久磁石２０の下面とは、案内ダクト７の上面板７ａで区画され、互いに上下方向に略５〜７ｍ／ｍの間隔を保持するように設置されている。また永久磁石２０はそれぞれ２６００ガウス近傍の磁力を有し、永久磁石３１も２６００ガウス近傍の磁力を有している。
【００５２】
図１１に示された例によれば、永久磁石１７にあっては全て上方にＳ極がくるように配され、搬送トレー３１の底面に固定された永久磁石２０にあっては全て下方にＳ極がくるように配置され、かつ永久磁石３０は全て下方にＮ極がくるように配置されているため、列をなす永久磁石１７上に搬送トレー３１が置かれると、搬送トレー３１は実質的に上方向へ磁力による反発力を受けるとともに、永久磁石１７と永久磁石３０とが引き合うようになっている。
【００５３】
上記搬送機能について詳しく説明すると、前記永久磁石２０と永久磁石１７とが、それぞれの磁石の同磁極同士が相対向する向きになるように配置されているため、飲食物搬送体である搬送トレー３１を搬送路上に載置した場合、永久磁石２０と永久磁石１７とが互いに同磁極で向き合う位置関係となり、２個の永久磁石２０は永久磁石１７の反発力を受け、永久磁石１７とその隣の永久磁石１７との間に安定しようとする。
【００５４】
ここで永久磁石１７を駆動チェーン１５で所定方向に循環走行させると、搬送トレー３１の永久磁石２０は前記した安定位置を確保しようとするため、永久磁石１７の走行速度と同速度で循環走行することとなる。さらに永久磁石２０と永久磁石１７との間には反発力が存在するため、搬送トレー３１の循環搬送時に搬送路に傷が付きにくくなる。
【００５５】
特に本実施例にあっては、搬送トレー３１の底面に永久磁石１７と引き合う永久磁石３０が設けられているため、進行方向の安定化が図られている。すなわち永久磁石１７が搬送面である上面板７ａのほぼ中央下部を移動するため、搬送トレー３１のほぼ中央に設けられた永久磁石３０がこの永久磁石１７の移動に追従し、搬送トレー３１が左右に蛇行したり、方向が変化することがなく、安定する。
【００５６】
また、永久磁石２０が進行線に対して左右対称に配されているため、渋滞時の搬送トレー３１の浮き上がりを防止できる。すなわち、各搬送トレー３１が一時的に渋滞した場合、永久磁石１７は移動するものの、搬送トレー３１は前方の搬送トレー３１にぶつかり、停止して渋滞してしまう。ここで仮に進行線上に永久磁石２０が存在していると、次々に下方を通過する永久磁石１７によってそれと反発する磁極を有する永久磁石２０が断続的に浮き上がって上下振動が発生してしまう。
しかし、本実施例にあっては永久磁石２０が進行線上に存在せず、左右に分離されているため、この進行線を永久磁石１７が通過しても永久磁石２０の上下振動は極力低減されていることになる。
【００５７】
図１２は、搬送トレーにおける永久磁石の第４実施例の配置例であり、永久磁石２０が左右に分離されて２個配置されているのみで、第３の磁石である永久磁石３０が省略されたものである。このように特に永久磁石３０が存在しなくても、隣り合う永久磁石１７、１７の間に永久磁石２０、２０が図のように安定し、たとえ搬送トレー３１に回転力が加わっても、この図の安定位置を確保するような反発力が加わることになる。
【００５８】
図１３は、搬送トレーにおける第５実施例の永久磁石等の配置例であり、永久磁石２０が左右に分離されて２個配置されており、かつ第３の磁石３０に代えて鉄等の磁性体４０を配したものであり、方向安定化のための吸引力を弱めたものである。
【００５９】
なお、第３〜５の実施例にあっては、寿司皿３に永久磁石や磁性体を配置せず、搬送トレー３１に配置したため、客が寿司皿３を取る場合、一切磁力の影響を受けず、客に皿を持ち上げる時の違和感を与えることがない。また、前述したように搬送トレー３１と搬送装置２との間に磁力による反発力が存在するため、搬送トレー３１を搬送装置２から容易に取外し、洗浄や配置換えを容易に実施できる。
【００６０】
本発明は、上記実施例に限定されるものではない。
すなわち、上記実施例では複雑な給電装置等を省略して構成を簡素化するために、永久磁石１７、１９を用いているが、それらを電磁石としてもよいことは勿論である。
【００６１】
また、左右に分離した永久磁石２０を搬送トレー３１に適用したものを説明したが、左右に分離した永久磁石２０を寿司皿３に適用できることは明らかである。
さらに、永久磁石２０を進行線を挟んでそれぞれ１個、すなわち計２個配したものを説明したが、進行線を挟んでほぼ線対称であれば、計４個、６個のように偶数個を適宜選択できる。
さらに、永久磁石３０の磁力は自由に設定できるが、複数個の永久磁石２０の総計した磁力よりも小さくすることが好ましい。
【００６２】
【発明の効果】
本発明によれば、次のような効果が得られる。
【００６３】
（ａ）請求項１に記載の発明によれば、飲食物搬送体を搬送路上に載置した場合、第１の磁石と第２の磁石とが互いに同磁極で向き合う位置関係となり、第１の磁石は第２の磁石の反発力を受け、第２の磁石とその隣の第２の磁石との間に安定しようとする。
ここで第２の磁石を所定方向に循環走行させると、第１の磁石は前記した安定位置を保持しようとするため、第２の磁石の走行速度と同速度で循環走行することとなる。このように第２の磁石と第１の磁石との間には反発力が存在するため、飲食物搬送体を比較的軽い力で持ち上げることができるとともに、飲食物搬送体の循環搬送時に搬送路に傷が付きにくくなる。さらに付加的に第２の磁石と第３の磁石が引き合い、飲食物搬送体の搬送される向きが常時一定する。
【００６４】
（ｂ）請求項２に記載の発明によれば、第２の磁石と第３の磁石との間の吸引力が、飲食物搬送体の搬送向きを決める最少限のものとなり、飲食物搬送体の持ち上げ時にこの吸引力が悪影響を及ぼさないようにできる。
【図面の簡単な説明】
【図１】第１実施例における寿司の搬送装置の外観斜視図である。
【図２】図１のII-II線の要部の拡大縦断正面図である。
【図３】図２のIII−III線の縦断側面図である。
【図４】第１実施例の磁石の配置関係を示す概略図である。
【図５】図２に対応する第２実施例の図面である。
【図６】図５のIV−IV線の縦断側面図である。
【図７】図２に対応する第３実施例の図面である。
【図８】図７の外観斜視図である。
【図９】第３実施例の搬送トレーの平面図である。
【図１０】図７のＶ−Ｖ線の縦断側面図である。
【図１１】第３実施例の磁石の配置関係を示す概略図である。
【図１２】第４実施例の搬送トレーの平面図である。
【図１３】第５実施例の搬送トレーの平面図である。
【図１４】従来のクレセントコンベアを示す平面図である。
【図１５】従来のチェーンレスコンベアの断面図である。
【図１６】従来の磁石の配置関係を示す概略図である。
【符号の説明】
１              飲食カウンタ
２              搬送装置
３              寿司皿（飲食物搬送体）（飲食物容器）
３ａ            糸底部
３ｂ            裏面
３ｃ            底板
４              寿司
５              基台
６              支持ブラケット
７              ダクト
７ａ            上面板
９              案内部材
９ａ            上向ガイド部
１１            滑り部材
１２            搬送機構
１３            支持基盤
１４            チェーンレール
１５            駆動チェーン
１６、１８      ブラケット
１７            永久磁石（第２の磁石）
１９            永久磁石
２０            永久磁石（第１の磁石）
２１            湯呑み容器
２２            給湯器
３０            永久磁石（第３の磁石）
３１            搬送トレー（飲食物搬送体）
３２            外周部
３３            底板
３４            パネル
【図１】
0004640716.tif 000002
【図２】
0004640716.tif 000003
【図３】
0004640716.tif 000004
【図４】
0004640716.tif 000005
【図５】
0004640716.tif 000006
【図６】
0004640716.tif 000007
【図７】
0004640716.tif 000008
【図８】
0004640716.tif 000009
【図９】
0004640716.tif 000010
【図１０】
0004640716.tif 000011
【図１１】
0004640716.tif 000012
【図１２】
0004640716.tif 000013
【図１３】
0004640716.tif 000014
【図１４】
0004640716.tif 000015
【図１５】
0004640716.tif 000016
【図１６】
0004640716.tif 000017